【手続補正書】
【提出日】平成27年8月13日(2015.8.13)
【手続補正１】
【補正対象書類名】特許請求の範囲
【補正対象項目名】全文
【補正方法】変更
【補正の内容】
【特許請求の範囲】
【請求項１】
無線アクセス・ネットワーク（ＲＡＮ）ユーザ・プレーン輻輳（ＵＰＣＯＮ）をレポートするための、コンピュータ回路を有するコア・ネットワーク（ＣＮ）デバイスであって、前記コンピュータ回路は、
ＵＰＣＯＮ状況を示す輻輳状況インジケータを含むＵＰＣＯＮコンテナを用いたＵＰＣＯＮイベント・レポートを受信し、
前記輻輳状況インジケータに基づいてＵＰＣＯＮプロセスを変更する
よう構成される、ＣＮデバイス。
【請求項２】
前記ＵＰＣＯＮコンテナは、ユーザ・プレーン・プロトコルを用いて受信される、請求項１記載のＣＮデバイス。
【請求項３】
前記ＵＰＣＯＮコンテナは、輻輳重大度レベルを示すある値の範囲の輻輳重大度レベル・インジケータを含み、前記ＵＰＣＯＮプロセスを変更するよう構成された前記コンピュータ回路は、さらに、前記輻輳重大度レベル・インジケータに基づいて前記ＵＰＣＯＮプロセスを修正するよう構成される、請求項１記載のＣＮデバイス。
【請求項４】
前記ＵＰＣＯＮコンテナは、輻輳無線インタフェース又は輻輳ネットワーク・インタフェースを示す輻輳インタフェース・インジケータを含み、前記ＵＰＣＯＮプロセスを変更するよう構成された前記コンピュータ回路は、さらに、前記輻輳インタフェース・インジケータに基づいて前記ＵＰＣＯＮプロセスを修正するよう構成される、請求項１記載のＣＮデバイス。
【請求項５】
前記ＵＰＣＯＮコンテナは、セルベースのＵＰＣＯＮ状況についてのセル識別子（ＣＩＤ）、ＵＥベースのＵＰＣＯＮ状況についてのＵＥアイデンティティ（ＩＤ）、アクセス・ポイント名（ＡＰＮ）ベースのＵＰＣＯＮ状況についてのＡＰＮ、パケット・データ・プロトコル（ＰＤＰ）コンテキストベースのＵＰＣＯＮ状況又は拡張プレゼンス・サービス（ＥＰＳ）ベアラベースのＵＰＣＯＮ状況についての関連ＩＤを含み、前記ＵＰＣＯＮプロセスを変更するよう構成された前記コンピュータ回路は、さらに、ＩＤ又は名前に基づいて前記ＵＰＣＯＮプロセスを修正するよう構成される、請求項１記載のＣＮデバイス。
【請求項６】
当該ＣＮデバイスは、モビリティ管理エンティティ（ＭＭＥ）、サービング・ゲートウェイ（Ｓ−ＧＷ）、パケット・データ・ネットワーク（ＰＤＮ）ゲートウェイ（Ｐ−ＧＷ）、ポリシー及び課金施行機能（ＰＣＥＦ）、ポリシー及び課金ルール機能（ＰＣＲＦ）、サービング汎用パケット無線サービス（ＧＰＲＳ）サポート・ノード（ＳＧＳＮ）、ゲートウェイＧＰＲＳサポート・ノード（ＧＧＳＮ）、アクセス・ネットワーク発見選択機能（ＡＮＤＳＦ）、運用及び保守（Ｏ＆Ｍ）サブシステム、ＵＰＣＯＮサーバ、プロキシ、又はスタンドアロンの機能エンティティを含む、請求項１記載のＣＮデバイス。
【請求項７】
前記ＵＰＣＯＮプロセスを変更するよう構成された前記コンピュータ回路は、さらに、
当該ＣＮデバイスがポリシー及び課金ルール機能（ＰＣＲＦ）を含む場合、新たなポリシー及び課金制御（ＰＣＣ）ルールを実施するために、インターネット・プロトコル（ＩＰ）接続アクセス・ネットワーク（ＩＰ−ＣＡＮ）セッション修正プロシージャを開始し；
当該ＣＮデバイスがアクセス・ネットワーク発見選択機能（ＡＮＤＳＦ）、運用及び保守（Ｏ＆Ｍ）サブシステム、又はＵＰＣＯＮサーバを含む場合、関連する設定されたルールを有効にするよう、あるいは、ユーザ機器（ＵＥ）又はアプリケーション・サーバ（ＡＳ）に対する関連ルール設定又は修正プロシージャを開始するよう、前記ＵＥ又は前記ＡＳをトリガし、ここで、前記ＵＥは、アンテナ、タッチ式ディスプレイ・スクリーン、スピーカ、マイクロフォン、グラフィックス・プロセッサ、アプリケーション・プロセッサ、内部メモリ、又は不揮発性メモリ・ポートを含む；
当該ＣＮデバイスがモビリティ管理エンティティ（ＭＭＥ）を含む場合、変化したＵＰＣＯＮ状態に対応するために、前記ＩＰ−ＣＡＮセッション修正プロシージャをトリガし；
当該ＣＮデバイスがサービング汎用パケット無線サービス（ＧＰＲＳ）サポート・ノード（ＳＧＳＮ）を含む場合、前記変化したＵＰＣＯＮ状態に対応するために、パケット・データ・プロトコル（ＰＤＰ）コンテキスト修正プロシージャ又は前記ＩＰ−ＣＡＮセッション修正プロシージャをトリガし；
当該ＣＮデバイスがゲートウェイＧＰＲＳサポート・ノード（ＧＧＳＮ）を含む場合、前記変化したＵＰＣＯＮ状態に対応するために、前記ＰＤＰコンテキスト修正プロシージャをトリガし；
当該ＣＮデバイスがパケット・データ・ネットワーク（ＰＤＮ）ゲートウェイ（Ｐ−ＧＷ）を含む場合、前記変化したＵＰＣＯＮ状態に対応するために、前記ＩＰ−ＣＡＮセッション修正プロシージャをトリガし；あるいは、
当該ＣＮデバイスがサービング・ゲートウェイ（Ｓ−ＧＷ）を含む場合、前記変化したＵＰＣＯＮ状態に対応するために、Ｓ１−Ｕインタフェース上のサービス品質（ＱｏＳ）マッピングを修正する、又は前記ＩＰ−ＣＡＮセッション修正プロシージャをトリガする
よう構成される、請求項１記載のＣＮデバイス。
【請求項８】
前記ＵＰＣＯＮプロセスを変更するよう構成された前記コンピュータ回路は、さらに、
前記輻輳状況インジケータにより、前記ＵＰＣＯＮ状況がなくなったことが示される場合、前記ＵＰＣＯＮプロセスをキャンセルする
よう構成される、請求項１記載のＣＮデバイス。
【請求項９】
前記コンピュータ回路は、さらに、
前記ＵＰＣＯＮイベント・レポートの受信が成功したときに、前記ＵＰＣＯＮイベント・レポートに対する肯定応答（ＡＣＫ）を行い、
アプリケーション・サーバ（ＡＳ）又は他のＣＮデバイスに前記ＵＰＣＯＮイベント・レポートを転送する
よう構成される、請求項１記載のＣＮデバイス。
【請求項１０】
前記ＵＰＣＯＮイベント・レポートは、ノードから受信され、前記ノードは、基地局（ＢＳ）、ノードＢ（ＮＢ）、進化型ノードＢ（ｅＮＢ）、ベースバンド・ユニット（ＢＢＵ）、リモート無線ヘッド（ＲＲＨ）、リモート無線機器（ＲＲＥ）、リモート無線ユニット（ＲＲＵ）、又は中央処理モジュール（ＣＰＭ）を含む、請求項１記載のＣＮデバイス。
【請求項１１】
コア・ネットワーク（ＣＮ）にユーザ・プレーン輻輳（ＵＰＣＯＮ）を通知するための方法であって、
ＵＰＣＯＮイベント・レポートにおけるＵＰＣＯＮコンテナを受信する受信ステップであって、前記ＵＰＣＯＮコンテナは、ＵＰＣＯＮ状況を示す輻輳状況インジケータを含む、受信ステップと、
前記輻輳状況インジケータに基づいてＵＰＣＯＮプロセスを修正する修正ステップと、
を含む、方法。
【請求項１２】
前記ＵＰＣＯＮコンテナは、輻輳重大度レベルを示すある値の範囲の輻輳重大度レベル・インジケータを含み、前記修正ステップは、
前記輻輳重大度レベル・インジケータに基づいて前記ＵＰＣＯＮプロセスを修正するステップ
をさらに含む、請求項１１記載の方法。
【請求項１３】
前記ＵＰＣＯＮコンテナは、輻輳無線インタフェース又は輻輳ネットワーク・インタフェースを示す輻輳インタフェース・インジケータを含み、前記修正ステップは、
前記輻輳インタフェース・インジケータに基づいて前記ＵＰＣＯＮプロセスを修正するステップ
をさらに含む、請求項１１記載の方法。
【請求項１４】
前記ＵＰＣＯＮコンテナは、セルベースのＵＰＣＯＮ状況についてのセル識別子（ＣＩＤ）、ＵＥベースのＵＰＣＯＮ状況についてのＵＥアイデンティティ（ＩＤ）、アクセス・ポイント名（ＡＰＮ）ベースのＵＰＣＯＮ状況についてのＡＰＮ、パケット・データ・プロトコル（ＰＤＰ）コンテキストベースのＵＰＣＯＮ状況又は拡張プレゼンス・サービス（ＥＰＳ）ベアラベースのＵＰＣＯＮ状況についての関連ＩＤを含み、前記修正ステップは、
ＩＤ又は名前に基づいて前記ＵＰＣＯＮプロセスを修正するステップ
をさらに含む、請求項１１記載の方法。
【請求項１５】
前記コア・ネットワークは、モビリティ管理エンティティ（ＭＭＥ）、サービング・ゲートウェイ（Ｓ−ＧＷ）、パケット・データ・ネットワーク（ＰＤＮ）ゲートウェイ（Ｐ−ＧＷ）、ポリシー及び課金施行機能（ＰＣＥＦ）、ポリシー及び課金ルール機能（ＰＣＲＦ）、サービング汎用パケット無線サービス（ＧＰＲＳ）サポート・ノード（ＳＧＳＮ）、ゲートウェイＧＰＲＳサポート・ノード（ＧＧＳＮ）、アクセス・ネットワーク発見選択機能（ＡＮＤＳＦ）、運用及び保守（Ｏ＆Ｍ）サブシステム、ＵＰＣＯＮサーバ、プロキシ、又はスタンドアロンの機能エンティティを含む、請求項１１記載の方法。
【請求項１６】
前記修正ステップは、
前記ＣＮがポリシー及び課金ルール機能（ＰＣＲＦ）を含む場合、新たなポリシー及び課金制御（ＰＣＣ）ルールを実施するために、インターネット・プロトコル（ＩＰ）接続アクセス・ネットワーク（ＩＰ−ＣＡＮ）セッション修正プロシージャを開始するステップ；
前記ＣＮがアクセス・ネットワーク発見選択機能（ＡＮＤＳＦ）、運用及び保守（Ｏ＆Ｍ）サブシステム、又はＵＰＣＯＮサーバを含む場合、関連する設定されたルールを有効にするよう、あるいは、ユーザ機器（ＵＥ）又はアプリケーション・サーバ（ＡＳ）に対する関連ルール設定又は修正プロシージャを開始するよう、前記ＵＥ又は前記ＡＳをトリガするステップ；
前記ＣＮがモビリティ管理エンティティ（ＭＭＥ）を含む場合、変化したＵＰＣＯＮ状態に対応するために、前記ＩＰ−ＣＡＮセッション修正プロシージャをトリガするステップ；
前記ＣＮがサービング汎用パケット無線サービス（ＧＰＲＳ）サポート・ノード（ＳＧＳＮ）を含む場合、前記変化したＵＰＣＯＮ状態に対応するために、パケット・データ・プロトコル（ＰＤＰ）コンテキスト修正プロシージャ又は前記ＩＰ−ＣＡＮセッション修正プロシージャをトリガするステップ；
前記ＣＮがゲートウェイＧＰＲＳサポート・ノード（ＧＧＳＮ）を含む場合、前記変化したＵＰＣＯＮ状態に対応するために、前記ＰＤＰコンテキスト修正プロシージャをトリガするステップ；
前記ＣＮがパケット・データ・ネットワーク（ＰＤＮ）ゲートウェイ（Ｐ−ＧＷ）を含む場合、前記変化したＵＰＣＯＮ状態に対応するために、前記ＩＰ−ＣＡＮセッション修正プロシージャをトリガするステップ；又は、
前記ＣＮがサービング・ゲートウェイ（Ｓ−ＧＷ）を含む場合、前記変化したＵＰＣＯＮ状態に対応するために、Ｓ１−Ｕインタフェース上のサービス品質（ＱｏＳ）マッピングを修正する、又は前記ＩＰ−ＣＡＮセッション修正プロシージャをトリガするステップ
をさらに含む、請求項１１記載の方法。
【請求項１７】
前記修正ステップは、
前記輻輳状況インジケータにより、前記ＵＰＣＯＮ状況がなくなったことが示される場合、前記ＵＰＣＯＮプロセスをキャンセルするステップ
をさらに含む、請求項１１記載の方法。
【請求項１８】
前記ＵＰＣＯＮイベント・レポートの受信が成功したときに、前記ＵＰＣＯＮイベント・レポートに対する肯定応答（ＡＣＫ）を行うステップと、
アプリケーション・サーバ（ＡＳ）又は前記ＣＮにおける別のデバイスに前記ＵＰＣＯＮイベント・レポートを転送するステップと、
をさらに含む、請求項１６記載の方法。
【請求項１９】
請求項１１記載の方法を実施するために実行されるよう適合された複数の命令を含む少なくとも１つの非一時的な機械読み取り可能記憶媒体。
【請求項２０】
ユーザ・プレーン輻輳（ＵＰＣＯＮ）に適応するためのアプリケーション・サーバ（ＡＳ）であって、
ＵＰＣＯＮ状況を示す輻輳状況インジケータを含むＵＰＣＯＮコンテナを用いたＵＰＣＯＮイベント・レポートを受信するトランシーバと、
前記輻輳状況インジケータに基づいてＵＰＣＯＮプロセスを変更するプロセッサと、
を備えた、ＡＳ。
【請求項２１】
前記ＵＰＣＯＮプロセスの前記変更は、関連する設定されたルールを有効にするよう、あるいは、アクセス・ネットワーク発見選択機能（ＡＮＤＳＦ）、運用及び保守（Ｏ＆Ｍ）サブシステム、又はＵＰＣＯＮサーバを介して関連ルール設定又は修正プロシージャを開始するよう、当該ＡＳをトリガする、請求項２０記載のＡＳ。
【請求項２２】
前記ＵＰＣＯＮコンテナは、輻輳重大度レベルを示すある値の範囲の輻輳重大度レベル・インジケータを含み、前記ＵＰＣＯＮプロセスを変更するよう構成された前記プロセッサは、さらに、前記輻輳重大度レベル・インジケータに基づいて前記ＵＰＣＯＮプロセスを修正するよう構成される、請求項２０記載のＡＳ。
【請求項２３】
前記ＵＰＣＯＮコンテナは、輻輳無線インタフェース又は輻輳ネットワーク・インタフェースを示す輻輳インタフェース・インジケータを含み、前記ＵＰＣＯＮプロセスを変更するよう構成された前記プロセッサは、さらに、前記輻輳インタフェース・インジケータに基づいて前記ＵＰＣＯＮプロセスを修正するよう構成される、請求項２０記載のＡＳ。
【請求項２４】
前記ＵＰＣＯＮコンテナは、セルベースのＵＰＣＯＮ状況についてのセル識別子（ＣＩＤ）、ＵＥベースのＵＰＣＯＮ状況についてのＵＥアイデンティティ（ＩＤ）、アクセス・ポイント名（ＡＰＮ）ベースのＵＰＣＯＮ状況についてのＡＰＮ、パケット・データ・プロトコル（ＰＤＰ）コンテキストベースのＵＰＣＯＮ状況又は拡張プレゼンス・サービス（ＥＰＳ）ベアラベースのＵＰＣＯＮ状況についての関連ＩＤを含み、前記ＵＰＣＯＮプロセスを変更するよう構成された前記プロセッサは、さらに、ＩＤ又は名前に基づいて前記ＵＰＣＯＮプロセスを修正するよう構成される、請求項２０記載のＡＳ。
【請求項２５】
前記ＵＰＣＯＮプロセスの前記変更は、前記輻輳状況インジケータにより、前記ＵＰＣＯＮ状況が終了したことが示される場合、前記ＵＰＣＯＮプロセスをキャンセルする、請求項２０記載のＡＳ。